(57)【要約】【課題】  １５℃以下の環境下に放置されて粘着剤の温度が１５℃以下となった接着フィルムを、被接着物に強力に貼着させて、被接着物から接着フィルムが容易に剥離してしまうことを防止する。【解決手段】  基材２の両面に設けられた粘着剤３ａ、３ｂの温度が１５℃以下である両面テープ１を、３５℃以上の温度によって所定時間加熱した後、所定時間放置し、粘着剤３の温度が１５〜３５℃の状態において、両面テープ１を液晶表示パネル６に貼着させる。【選択図】      図１  
2005239982.tif 000002
【特許請求の範囲】
【請求項１】
基材の片面または両面に設けられた粘着剤の温度が１５℃以下である接着フィルムを、前記粘着剤の温度が３５℃以上となるように加熱した後で被接着物の貼着に用いることを特徴とする接着フィルムの貼付方法。
【請求項２】
前記被接着物の貼着に用いる粘着剤を１５〜３５℃の温度で前記被接着物に貼着する請求項１に記載の接着フィルムの貼付方法。
【請求項３】
基材の片面または両面に設けられた粘着剤を有する接着フィルムを３５℃以上の温度によって所定時間加熱した後、前記粘着剤の温度が１５〜３５℃の状態において被接着物に貼着することを特徴とする接着フィルムの貼付方法。
【発明の詳細な説明】
【技術分野】
【０００１】
本発明は接着フィルムの貼付方法に係り、特に粘着剤の温度が１５℃以下の接着フィルムを被接着物に貼着する接着フィルムの貼付方法に関する。
【背景技術】
【０００２】
従来より、例えば液晶表示装置には、ケースの内部に、液晶表示パネルや、前記液晶表示パネルに照射光を照射するためのバックライトユニット等が積層して設けられている。
【０００３】
このような液晶表示装置においては、バックライトユニットが液晶表示パネルに接着され、また、液晶表示パネルは、ケースに接着されて、前記ケースの内部においてそれぞれ固定されている。
【０００４】
そして、前記バックライトユニットを液晶表示パネルに接着する手段や、前記液晶表示パネルをケースに接着する手段等、種々の部材同士を接着する手段として、基材の両面に粘着剤を備えた接着フィルムが多用されている。
【０００５】
しかし、前記接着フィルムは、一般に１５℃以下の環境下に所定時間放置されて前記粘着剤の温度が１５℃以下になってしまうと、前記粘着剤の粘着力が低下してしまうことになる。このため、このような接着フィルムを用いて例えば液晶表示パネルをケースに貼り付けた場合、粘着剤の粘着力の低下により、前記接着フィルムが液晶表示パネルやケースから剥がれやすくなってしまう結果、前記液晶表示パネルがケースから容易に剥離してしまうおそれがあった。
【発明の開示】
【発明が解決しようとする課題】
【０００６】
本発明はこれらの点に鑑みてなされたものであり、１５℃以下の環境下に放置され粘着剤の温度が１５℃以下となった接着フィルムを、被接着物に強力に貼着させることができる接着フィルムの貼付方法を提供することを目的とする。
【課題を解決するための手段】
【０００７】
前記目的を達成するため、請求項１に記載の発明に係る接着フィルムの貼付方法の特徴は、基材の片面または両面に設けられた粘着剤の温度が１５℃以下である接着フィルムを、前記粘着剤の温度が３５℃以上となるように加熱した後で被接着物の貼着に用いる点にある。
【０００８】
また、請求項２に記載の発明に係る接着フィルムの貼付方法の特徴は、前記被接着物の貼着に用いる粘着剤を１５〜３５℃の温度で前記被接着物に貼着する点にある。
【０００９】
さらに、請求項３に記載の発明にかかる接着フィルムの貼付方法の特徴は、基材の片面または両面に設けられた粘着剤を有する接着フィルムを３５℃以上の温度によって所定時間加熱した後、前記粘着剤の温度が１５〜３５℃の状態において被接着物に貼着する点にある。
【００１０】
これら本発明に記載の接着フィルムの貼付方法によれば、粘着剤の温度が１５℃以下となり粘着力が低下した接着フィルムが加熱されることにより、温度が低い場合と比較して粘着剤が柔軟になるので、粘着剤の粘着力を上昇させることができる。
【発明の効果】
【００１１】
以上述べたように、本発明に係る接着フィルムの貼付方法によれば、１５℃以下の環境下に接着フィルムを放置し粘着剤の温度が１５℃以下となってしまった場合であっても、接着フィルムにおける粘着剤の粘着力を大きくすることができるので、前記接着フィルムを被接着物に強力に貼着させることができ、接着フィルムが被接着物から容易に剥離してしまうことを防止することができる。
【発明を実施するための最良の形態】
【００１２】
以下、本発明に係る接着フィルムの貼付方法の実施形態を図１および図２を参照して説明する。
【００１３】
ここで、本実施形態においては、接着フィルムとして両面テープを用いて説明するが、本発明はこれに限定されるものではなく、片面テープや接着シート等種々の接着フィルムを貼り付ける場合に用いることができる。
【００１４】
図１は、本実施形態に係る両面テープの貼付方法に用いられる両面テープを介して液晶表示パネルをケースに接着した場合の要部を示す模式的断面図である。
【００１５】
図１に示すように、前記両面テープ１は、厚みが２５μｍのポリエチレンテレフタレート等からなる基材２の両面に、それぞれ厚みが４７．５μｍのアクリル系材料等からなる粘着剤３ａ、３ｂが設けられており、本実施形態においては、両面テープ１の全体の厚みが１２０μｍに構成されている。また、この粘着剤３の初期粘着力は、２０Ｎ／２０ｍｍとなっている。
【００１６】
この粘着剤３は、図２に示すように、一般に粘着剤３の温度が高くなるにつれてその粘着力が上昇し、粘着剤３の温度が低くなるにつれてその粘着力が低下するという性質を有している。特に、粘着力が急激に変化する温度範囲を有している。
【００１７】
そして、両面テープ１は、粘着剤３ａによってケース５に貼着されているとともに、粘着剤３ｂによって液晶表示パネル６に貼着されており、これにより、液晶表示パネル６は両面テープ１を介してケース５の内部に接着されて固定されている。
【００１８】
次に、本実施形態に係る両面テープ１の貼付方法について説明する。
【００１９】
まず、ケース５の所定位置に貼着されたまま１５℃以下の環境下に所定時間放置されて粘着剤３の温度が１５℃以下になった両面テープ１を、ケース５ごと恒温槽に入れて、３５℃以上の温度により所定時間加熱する。
【００２０】
続いて、ケース５に貼着された両面テープ１を所定時間放置した後、粘着剤３ｂの温度が１５〜３５℃になった状態において、液晶表示パネル６の所定位置が粘着剤３ｂに接触するように液晶表示パネル６を両面テープ１を介してケース５の内部に配置する。そして、粘着剤３ｂによって両面テープ１を液晶表示パネル６に貼着させることにより、液晶表示パネル６をケース５の内部に接着させて固定することができる。
【００２１】
本実施形態によれば、粘着剤３の温度が１５℃以下となり粘着力が低下してしまった両面テープ１を加熱することにより、温度が低い場合と比較して粘着剤３を柔軟にすることができる。
【００２２】
したがって、１５℃以下の環境下に両面テープ１を放置し粘着剤３の温度が１５℃以下となってしまった場合であっても、本実施形態による貼付方法によれば両面テープ１における粘着剤３の粘着力を上昇させることができるので、前記両面テープ１を液晶表示パネル６に強力に貼着させることができ、これにより、両面テープ１が液晶表示パネル６から容易に剥離してしまうことを防止することができる。
【００２３】
なお、本発明は前記実施形態に限定されるものではなく、必要に応じて種々変更することが可能である。例えば両面テープを構成する基材２および粘着剤３の材料や厚み等は本実施形態のものに限定されるものではなく、種々の両面テープを用いることができる。
【００２４】
また、本実施形態においては、被接着物として液晶表示パネル６を用いているが、これに限定されるものではなく、接着フィルムを種々の被接着物に貼り付ける場合に用いることができる。
【００２５】
以下、１５℃以下の環境下に所定時間放置された両面テープ１を、加熱した後に液晶表示パネル６と貼着させた場合の具体例について、従来の加熱しないで貼着させた場合と比較して説明する。
【００２６】
まず、ケース５の所定位置に両面テープ１を貼着し、３℃の環境下において４８時間放置した。
【００２７】
次に、従来例として、前記両面テープ１を介して液晶表示パネル６をケースの内部に配置し、粘着剤３ｂ両面テープ１を液晶表示パネル６に貼着させたものを２５個用意した。
【００２８】
このように液晶表示パネル６に貼着された両面テープ１について、振動試験を行った。この振動試験は、振り幅を１．５ｍｍ、振動周波数を１０〜５５Ｈｚ、掃引サイクルを６０秒として、ＸＹＺの各方向にそれぞれ１５分間行った。
【００２９】
この結果、２５個のうち２個の液晶表示パネル６が両面テープ１から剥離してしまった。
【００３０】
一方、具体例として、３℃の環境下に４８時間放置された両面テープ１を、ケース５ごと恒温槽に入れて、４０℃の温度によって１時間加熱した。その後、両面テープ１を放置し、粘着剤３が２５℃になった状態において、液晶表示パネル６を両面テープ１を介してケースの内部に配置し、粘着剤３ｂにより両面テープ１を液晶表示パネル６に貼着させたものを２５個用意した。
【００３１】
そして、前述の振動試験と同一の条件において振動試験を行った結果、２５個の液晶表示パネル６のうち両面テープ１から剥離したものは１つもなく、両面テープ１が液晶表示パネル６に強力に貼着していることを確認することができた。
【図面の簡単な説明】
【００３２】
【図１】本発明に係る両面テープを被接着物に貼着させた場合の要部を示す模式的断面図
【図２】図１の両面テープを被接着物に貼着させた温度と粘着力との関係を示すグラフ
【符号の説明】
【００３３】
１  両面テープ
２  基材
３  粘着剤
５  ケース
６  液晶表示パネル
【図１】
2005239982.tif 000003
【図２】
2005239982.tif 000004